(57)【要約】【課題】操作者が保持した状態でキー入力などの操作を行えるように、電子機器の小型化および軽量化を向上させる。【解決手段】この電子機器は、第１面とこの第１面の背面である第２面とを有する筐体と、前記第１面に設けられ、画像を表示するディスプレイと、前記ディスプレイの面に配置される入力面を有し、前記入力面に対する入力を検知する入力部と、前記第２面にそれぞれ突出するとともに、前記第２面の中央部から両端部に向って高さが配列順に異なる複数のキーと、を具備する。【選択図】図１
2014106937.tif 000002
【特許請求の範囲】
【請求項１】
第１面とこの第１面の背面である第２面とを有する筐体と、
前記第１面に設けられ、画像を表示するディスプレイと、
前記ディスプレイの面に配置される入力面を有し、前記入力面に対する入力を検知する入力部と、
前記第２面からそれぞれ突出するとともに、前記第２面の中央部から両端部に向って高さが配列順に異なる複数のキーと、
を具備する電子機器。
【請求項２】
前記複数のキーは、前記第２面の中央部から両端部に向かって高さが配列順に低くまたは高くなる請求項１記載の電子機器。
【請求項３】
前記第１面に設けられ、データを入力可能な少なくとも１つの第２キーを、
さらに具備する請求項１記載の電子機器。
【請求項４】
前記第２キーは、シフトキー、コントロールキーまたはスペースキーのうちの少なくとも１つのキーからなる請求項３記載の電子機器。
【請求項５】
前記両端部にそれぞれ設けられ、操作者が保持可能な保持部と、
前記操作者の保持部の保持をそれぞれ検出する第１および第２保持検出部と、
前記第１および第２保持検出部が前記操作者の保持をそれぞれ検出した場合に、前記複数のキーの入力を有効にする入力制御部と、
をさらに具備する請求項１記載の電子機器。
【請求項６】
少なくとも一方の前記保持部は、前記筐体の端部に前記第１面から前記第２面に貫通する孔部を有し、前記孔部に挿入された前記操作者の手によって前記電子機器を保持可能とする請求項５記載の電子機器。
【請求項７】
前記保持部は、前記第２面の両端部に突出してそれぞれ設けられる請求項５記載の電子機器。
【請求項８】
前記複数のキーのうちの予め定められたキーに前記操作者の接触を検知する接触検知部と、
前記接触を示す情報を前記ディスプレイに表示する表示制御部と、
をさらに具備する請求項１記載の電子機器。
【請求項９】
前記両端部は、前記操作者であるユーザが把持する左右の手に対応し、
前記複数のキーは、文字キー、ファンクションキーまたはテンキーのうちの少なくとも一種類のキーからなり、前記左右の手に対応する前記両端部に沿う方向に対して、クウォーティー配列と逆にキー配列される請求項１記載の電子機器。
【発明の詳細な説明】
【技術分野】
【０００１】
本発明の実施の形態は、タッチスクリーンディスプレイとキーボードを有する電子機器に関する。
【背景技術】
【０００２】
近年、ディスプレイの面に配置される入力面に対し、例えばペンによって位置指示された入力を検知するタッチスクリーンディスプレイを備えた電子機器が開発されている。
【０００３】
このような電子機器では、タッチスクリーンディスプレイとキーボードを別体のユニットに配置し、それぞれのユニットをヒンジ機構で開閉可能に接続するものが提案されている。
【先行技術文献】
【特許文献】
【０００４】
【特許文献１】特開２００７−９４８０８号公報
【発明の概要】
【発明が解決しようとする課題】
【０００５】
この別体のユニットを有する電子機器では、機器の厚みが増大し、大型でかつ重量が重くなり、操作者が電子機器を保持した状態でキー入力などの操作を行うことは困難となっていた。
【０００６】
本発明はこのような課題を解決するためになされたもので、小型化および軽量化を向上することのできる電子機器を提供することを目的とする。
【課題を解決するための手段】
【０００７】
上記の課題を解決するために本発明の電子機器は、筐体と、ディスプレイと、複数のキーとを備える。筐体は、第１面とこの第１面の背面である第２面とを有している。ディスプレイは、第１面に設けられ、画像を表示している。複数のキーは、第２面からそれぞれ突出するとともに、この第２面の中央部から両端部に向って高さが配列順に異なるように配置する。
【図面の簡単な説明】
【０００８】
【図１】本発明の一実施形態の電子機器の構成を示す斜視図。
【図２】電子機器の構成を示す正面図。
【図３】電子機器の構成を示す背面図。
【図４】電子機器の保持状態を示す斜視図。
【図５】電子機器の制御システムの構成を示すブロック図。
【図６】キーボード入力の有効、無効の切り替え動作を示すフローチャート。
【図７】実施形態２の電子機器の構成を示す斜視図。
【図８】実施形態３の電子機器を示す斜視図。
【図９】実施形態４の電子機器を示す斜視図。
【発明を実施するための形態】
【０００９】
（実施形態１）
以下、本発明の実施の形態について図面を参照しながら説明する。図１は、本発明の一実施形態の電子機器の構成を示す斜視図で、筐体１１の裏面１１ｂからの斜視図である。図２は、電子機器の構成を示す正面図である。図３は、電子機器の構成を示す背面図である。図４は、電子機器の保持状態を示す斜視図である。
【００１０】
図１に示すように、この電子機器１０は、第１面としての表面１１ａと、この第１面の背面である第２面としての裏面１１ｂと、保持部１１ｃ、１１ｃとを有する筐体１１を備えている。保持部１１ｃ，１１ｃは、図４に示すように、図中左右の両端部に設けられ、操作者の左右の手２１，２２によって保持可能に把持される。保持部１１ｃ，１１ｃは、表面１１ａおよび裏面１１ｂの両端部と、この表面１１ａと裏面１１ｂを接続する両側面を含む。
【００１１】
この筐体１１の表面１１ａには、表面１１ａに露出するように、ディスプレイであるＬＣＤ（Ｌｉｑｕｉｄ  Ｃｒｙｓｔａｌ  Ｄｉｓｐｌａｙ）１２が設けられている。また、この筐体１１の裏面１１ｂには、突出する複数のキー１３ｂが備えられている。操作者は、両手の親指を表面１１ａに、他の指を裏面１１ｂに配置して両端部を把持して、電子機器１０を保持しながら、表面１１ａのＬＣＤ１２を目視した状態で、ブラインドタッチでキー操作することが可能となる（図４参照）。
【００１２】
このＬＣＤ１２の上面には、透明のタッチパネル１４が設けられている。この電子機器１０では、ＬＣＤ１２とタッチパネル１４とによって入力部としてのタッチスクリーンディスプレイが構成されている。
【００１３】
タッチスクリーンディスプレイは、ＬＣＤ１２の面に配置される入力面を有し、ペンまたは操作者の指によって表示画面を直接接触することで、この表示画面上の接触エリア（接触位置）を検出している。この検出により、操作者は、例えば画面に表示されているメニューバー、アイコンの選択操作、指示操作、文字入力操作などを行うことが可能となる。
【００１４】
図２に示すように、図中、ＬＣＤ１２の左右および下方には、複数のキー１３ａが突出して配置されている。これらのキー１３ａは、例えば他のキー１３ｂとの同時押しを要求されるシフトキー、コントロールキー、親指操作が可能なスペースキーなどからなる。なお、これらのキー１３ａは、操作者の親指によって操作される。これらキー１３ａは、キーボード１３のキー群を構成している。
【００１５】
図３に示すように、複数のキー１３ｂは、裏面１１ｂにそれぞれ突出するとともに、この裏面１１ｂの中央部から両端部（図中左右の保持部１１ｃ，１１ｃ）に向って高さが配列順に異なるように配置されている。この実施形態では、複数のキー１３ｂが例えば裏面１１ｂの中央部から両端部に向かって高さが配列順に低くなるように配置されている。これにより、この実施形態では、裏面１１ｂの中央部側のキーが高くなるので、中央部側のキーが指で押しやすくなり、キーの誤操作を減少できるとともに、掌で両端側のキーをミスタッチすることを減少できる。なお、これらキー１３ｂも、キーボード１３のキー群を構成している。
【００１６】
複数のキー１３ｂは、例えば文字キー、ファンクションキーまたはテンキーなどのキー群からなる。これらキー１３ｂは、左右２１，２２の手に対応する保持部１１ｃ，１１ｃに沿う方向に対して、例えばクウォーティー（ＱＷＥＲＴＹ）配列と逆にキー配列されている。これにより、この実施形態では、掌が操作者の方向に向かってキーの操作を行うので、キーを目視しているのと同じ状態で、裏面１１ｂのキーを操作することができる。
【００１７】
また、これらキー１３ｂでは、上段より下段の両端部側のキーが配列順に両端部に向かって近づき、かつ上段より下段の中央部側のキーが配列順に中央部から遠ざかるように配置されている。これにより、この実施形態では、指の長さに応じたキー配列となり、各指が配列されたキーを押しやすくなる。特に、小指が操作する下段のキーが、保持部１１ｃ，１１ｃ近傍に配置されるので、キーを押しやすくなり、キーの操作が容易になる（図４参照）。
【００１８】
また、筐体１１の表面１１ａには、裏面１１ｂのキー１３ｂとの同時押しが要求されるキー１３ａなどを配置したので、キーの操作性を向上することができる。
【００１９】
また、図３に示すように、これらキー１３ｂのうちの特定のキー１３ｂ１，１３ｂ２の表面には、接触センサ１９，２０が設けられている。これら接触センサ１９，２０は、指の接触圧力を検出する押圧センサなどからなる。この実施形態では、接触センサ１９，２０で指の接触を検出した場合、ＬＣＤ１２の表示画面に接触を示す表示を行う。これにより、この実施形態では、裏面１１ｂに配置された特定のキー１３ｂ１，１３ｂ２を認識できるとともに、この特定のキー１３ｂ１，１３ｂ２の位置を基準として使用時に目視できない他の複数のキー１３ｂの位置も認識可能となる。
【００２０】
筐体１１の両側面には、第１および第２保持検出部としての保持センサ１６，１７が設けられている。これら保持センサ１６，１７は、操作者による電子機器１０の保持をそれぞれ検出している。これら保持センサ１６，１７は、静電容量方式などを用いて、筐体１１の側面上の操作者の手を検出している。この実施形態では、保持センサ１６，１７の両方で操作者による電子機器１０の保持をそれぞれ検出した場合、キーボード１３によるデータ入力を有効にしている。
【００２１】
また、筐体１１の側面には、電源スイッチ１８が露出して設けられている。電源スイッチ１８は、電子機器１０の電源をオン／オフするための操作入力を受け付けている。
【００２２】
図５は、電子機器の制御システムの構成を示すブロック図である。
図５に示すように、この電子機器は、ＣＰＵ（Ｃｅｎｔｒａｌ  Ｐｒｏｃｅｓｓｉｎｇ  Ｕｎｉｔ）３０、ブリッジデバイス３１、主メモリ３２、表示コントローラ３３、サウンドコントローラ３４、スピーカ３５、ＳＳＤ（Ｓｏｌｉｄ  Ｓｔａｔｅ  Ｄｒｉｖｅ）３６、ＢＩＯＳ−ＲＯＭ（Ｂａｓｉｃ  Ｉｎｐｕｔ／Ｏｕｔｐｕｔ  Ｓｙｓｔｅｍ−Ｒｅａｄ  Ｏｎｌｙ  Ｍｅｍｏｒｙ）３７、エンベデッドコントローラ（ＥＣ）３８、電源回路４２等を備えている。
【００２３】
ＣＰＵ３０は、電子機器１０の各コンポーネントの動作を制御するプロセッサである。ＣＰＵ３０は、ＳＳＤ３６から主メモリ３２に読込まれる、オペレーティングシステム（ＯＳ）３０及び各種ユーティリティ／アプリケーションプログラムを実行する。
【００２４】
また、ＣＰＵ３０は、起動時およびＢＩＯＳ読み出しコマンド実行時などにＢＩＯＳ−ＲＯＭ３７に格納されたＢＩＯＳを読み出して実行する。ＢＩＯＳは、ハードウェアを制御するためのプログラムである。
【００２５】
この実施形態では、各種ユーティリティ／アプリケーションプログラムの１つに表示制御プログラムがある。ＣＰＵ３０は、ＯＳと共にこの表示制御プログラムの処理を実行する。ＣＰＵ３０は、表示制御プログラムの処理を実行することで表示制御動作を行う。
【００２６】
ブリッジデバイス３１は、表示コントローラ３３との通信を実行する機能を有している。表示コントローラ３３は、電子機器１０のタッチスクリーンディスプレイとして使用されるＬＣＤ１２を制御するグラフィック制御用のコントローラである。
【００２７】
また、ブリッジデバイス３１には、主メモリ３２を制御するメモリコントローラも内蔵されている。さらに、ブリッジデバイス３１は、ＬＰＣ（Ｌｏｗ  ＰＩＮ  Ｃｏｕｎｔ）バス上の各デバイスとの通信も実行する。
【００２８】
ＳＳＤ３６には、ＯＳおよび表示制御プログラム等のプログラムが記憶されている。主メモリ３２は、ＣＰＵ３０が実行するＯＳ１および表示制御プログラム２などを読み込む一時格納領域である。ＣＰＵ３０は、ＳＳＤ３６に記憶されているＯＳ１および表示制御プログラム２を読み込み、主メモリ３２に展開して各部の制御を行う。
【００２９】
表示コントローラ３３は、ブリッジデバイス３１を介してＣＰＵ３０から入力される描画要求に基づいて、図示しないビデオメモリ（ＶＲＡＭ）に表示データを描画するための表示処理（グラフィクス演算処理）を実行する。ビデオメモリには、ＬＣＤ１２に表示される画面イメージに対応する表示データを格納する。
【００３０】
また、表示コントローラ３３は、保持検出部４０により操作者の保持部１１ｃ，１１ｃの保持がそれぞれ検出されたことで、保持に応じた表示制御を行う。
【００３１】
例えば、操作者が筐体１１の保持部１１ｃ，１１ｃの両方を保持したことを検出した場合、情報入力が有効となったキーボード１３からの入力に対応した表示制御を行う。
【００３２】
また、表示コントローラ３３は、接触検出部４１によりキーボード１３のキー群のうちの特定キー１３ｂ１，１３ｂ２への操作者の指の接触が検出されたことで、接触に応じた表示制御を行う。
【００３３】
例えば、操作者の指が特定キー１３ｂ１，１３ｂ２の一方または両方に接触したことを検出した場合、表示コントローラ３３は、接触した特定キー１３ｂ１，１３ｂ２に対応した表示制御を行う。
【００３４】
ＳＳＤ３６は、表示制御に関する各種パラメータ情報を格納している。パラメータ情報としては、キーボード１３による入力が有効となったときの情報（例えばアイコン、キー入力された文字情報）、特定キー１３ｂ１，１３ｂ２に接触したときの情報（例えば特定キーと対応させるキャラクタの画面上の配置に関するデータなどである。
【００３５】
表示制御プログラム２は、ＣＰＵ３０により主メモリ３２に読み込まれて、表示コントローラ３３を動作させる。すなわち、表示制御プログラム２は、筐体１１の保持検出および特定キー１３ｂ１，１３ｂ２との接触検出に応じて、これら各種パラメータ情報を用いて表示制御を行う。この表示制御プログラム２の機能は、上記表示コントローラ３３の動作として実現される。
【００３６】
表示制御プログラム２は、操作者によって選択された音量などのパラメータ情報を変更する。表示制御プログラム２は、変更後のパラメータ値をＯＳ１に通知する。ＯＳ１は、通知されたパラメータ値を用いて、サウンドコントローラ３４や表示コントローラ３３を制御する。以上の制御により、字幕のサイズ、輝度、音量、及び画面サイズを大きくすることができる。
【００３７】
エンベデッドコントローラ（ＥＣ）３８は、操作者による電源スイッチ１８の操作に応じて電子機器１０を電源オン／オフする機能を有している。すなわち、エンベデッドコントローラ（ＥＣ）３８は、電源回路４２の制御を行う。
【００３８】
また、エンベデッドコントローラ（ＥＣ）３８は、タッチパネルコントローラ３９を有する。タッチパネルコントローラ３９は、ＬＣＤ１２に設けられているタッチパネル１４を制御してタッチセンサよりタッチ情報を取得しブリッジデバイス３１を通じてＣＰＵ３０へ渡す。ＣＰＵ３０は、タッチ情報に応じて表示コントローラ３３に対して表示制御を指示する。
【００３９】
また、エンベデッドコントローラ（ＥＣ）３８は、保持検出部４０を有する。保持検出部４０は、保持センサ１６，１７から検出情報を取得しキーボード１３からのデータ入力の有効または無効の制御を行う。
【００４０】
また、エンベデッドコントローラ（ＥＣ）３８は、接触検出部４１を有する。接触検出部４１は、接触センサ１９，２０から検出情報を取得しブリッジデバイス３１を通じてＣＰＵ３０へ渡す。ＣＰＵ３０は、検出情報に応じて表示コントローラ３３に対して表示制御を指示する。
【００４１】
タッチパネル１４は、例えば、抵抗膜方式または静電容量方式等を用いたタッチセンサを有する。タッチセンサは、タッチパネル１４（タッチスクリーンディスプレイ）上のタッチエリアまたはタッチ位置を検出するように構成されている。
【００４２】
電源回路４２は、外部電源がＡＣアダプタ４４を介して供給されている場合、ＡＣアダプタ４４から供給される外部電源を用いて電子機器１０の各コンポーネントに供給すべきシステム電源を生成する。
【００４３】
また、電源回路４２は、外部電源がＡＣアダプタ４４を介して供給されていない場合、バッテリ４３を用いて電子機器１０の各コンポーネントに供給すべきシステム電源を生成する。
【００４４】
次に、図６を参照してこの実施形態の電子機器１０の動作を説明する。
図６に示すように、電源スイッチ１８の操作によって電源がオン状態になると（ステップＳ１０１）、保持検出部４０は保持センサ１６，１７が操作者による電子機器１０の保持を検出するように待機している（ステップＳ１０２）。
そして、操作者が電子機器１０を保持すると、保持検出部４０は、両手で保持したか、片手で保持したか検出する。
【００４５】
ここで、保持検出部４０が両手で保持したことを検出した場合（ステップＳ１０２の両方）、エンベデッドコントローラ（ＥＣ）３８は、キーボード１３のデータ入力を有効にする（ステップＳ１０３）。
【００４６】
また、保持検出部４０が片手で保持したことを検出した場合（ステップＳ１０２の一方）、エンベデッドコントローラ（ＥＣ）３８は、キーボード１３のデータ入力を無効にする（ステップＳ１０４）。
【００４７】
ステップＳ１０３でキーボード１３のデータ入力を有効にした場合、接触検出部４１は、特定のキー１３ｂ１，１３ｂ２への接触があったか否か検出する（ステップＳ１０３）。
【００４８】
ここで、接触検出部４１が特定のキー１３ｂ１，１３ｂ２への接触を検出すると（ステップＳ１０５のＹｅｓ）、エンベデッドコントローラ（ＥＣ）３８は、取得した検出情報をブリッジデバイス３１を通じてＣＰＵ３０へ渡す。ＣＰＵ３０は、検出情報に応じて表示コントローラ３３に対して表示制御を指示する。表示コントローラ３３は、接触した特定キー１３ｂ１，１３ｂ２に対応した表示制御を行う（ステップＳ１０６）。
【００４９】
この場合、操作者の指が接触した特定のキーがキー１３ｂ１の場合、表示コントローラ３３は、この特定のキー１３ｂ１に対応する英数字、記号などのキャラクタをＬＣＤ１２の所定表示領域に表示する。また、指が接触した特定のキーがキー１３ｂ２の場合、表示コントローラ３３は、この特定のキー１３ｂ２に対応する英数字、記号などのキャラクタをＬＣＤ１２の所定表示領域に表示する。指が接触した特定のキーが両方のキー１３ｂ１，１３ｂ２の場合、それぞれの特定のキー１３ｂ１，１３ｂ２に対応する英数字、記号などのキャラクタをＬＣＤ１２の所定表示領域に表示する。
【００５０】
この結果、この実施形態では、特定のキー１３ｂ１，１３ｂ２との接触を検出した状態で、裏面１１ｂに配置された特定のキー１３ｂ１，１３ｂ２を認識できるとともに、この特定のキー１３ｂ１，１３ｂ２の位置を基準として使用時に目視できない他の複数のキー１３ｂの位置も認識可能となる。
【００５１】
すなわち、操作者は、使用時に裏面１１ｂに配置された複数のキー１３ｂを目視することなく認識でき、ブラインドタッチで所望のキーを押下してデータ入力を行うことができる。
【００５２】
なお、特定のキー１３ｂ１，１３ｂ２の画面表示に限らず、例えばＬＥＤによる表示やスピーカ３５による発呼によっても特定のキー１３ｂ１，１３ｂ２への接触を、操作者に認識させることが可能である。
【００５３】
また、キーボード１３によるデータ入力の有効または無効も、ＬＣＤ１２の表示画面上に、それに対応するキャラクタなどで表示させることも可能である。
この結果、操作者は、表示画面上の表示によって、キーボード１３によるデータ入力の有効または無効を目視で認識することが可能となる。
【００５４】
このように、この実施形態では、タッチスクリーンディスプレイを筐体の表面１１ａに設けるとともに、この表面１１ａの背面である裏面１１ｂにキーボード１３の複数のキー１３ｂを突出させ、かつ裏面１１ｂの中央部から両端部に向って高さが配列順に異なる（低く）なるように配置したので、操作者が電子機器１０を保持した状態でキー入力などの操作を行えるように、電子機器１０の小型化および軽量化を向上できるようになる。
【００５５】
（実施形態２）
図７は、実施形態２の電子機器１０の構成を示す斜視図である。
【００５６】
図７に示すように、左方の保持部１１ｃは、筐体１１の端部に表面１１ａから裏面１１ｂに貫通する孔部１１ｄを有している。この孔部１１ｄは、操作者の手（左手）２２が挿入できる程度の大きさに形成されている。
【００５７】
操作者は、表面１１ａから孔部１１ｄに手（左手）２２を挿入し、この挿入した手（左手）２２によって電子機器１０を保持するとともに、手（右手）２１の指によって表示画面を直接接触することで、例えば画面に表示されているメニューバー、アイコンの選択操作、指示操作、文字入力操作などを行うことが可能となる。
【００５８】
また、キーボード１３によるデータ入力を有効にするためには、さらに手（右手）２１で右方の保持部１１ｃを把持し、両手２１，２２で電子機器１０を保持すればデータ入力が可能となる。
【００５９】
このように、この実施形態では、実施形態１と同様の効果を奏するとともに、一方の保持部１１ｃが筐体１１の端部に表面１１ａから裏面１１ｂに貫通する孔部１１ｄを有し、この孔部１１ｄに挿入された操作者の手（左手）２２によって電子機器１０を保持可能とする。この結果、電子機器１０の落下を防止できるとともに、片手（左手）２２での電子機器１０の保持が容易となり、もう一方の手（右手）２１での画面操作をスムーズに行うことができる。
【００６０】
また、この実施形態では、孔部１１ｄに挿入した手（左手）２２で電子機器１０を把持するとともに、この手（左手）２２の甲が孔部１１ｄに当接可能となるので、さらに電子機器１０を強固に保持することができる。
【００６１】
なお、この実施形態では、左方の保持部１１ｃに孔部１１ｄを設けたが、これに限らず、右方の保持部１１ｃまたは左右両方の保持部に孔部１１ｄをそれぞれ設けることも可能である。このように、左右両方の保持部に孔部１１ｄをそれぞれ設けた場合には、電子機器１０をさらに強固に保持することができる。
【００６２】
（実施形態３）
図８は、実施形態３の電子機器１０の構成を示す斜視図である。
【００６３】
図８に示すように、保持部１１ｃは、裏面１１ｂの両端部に突出してそれぞれ設けられる保持部材４５，４５を有している。
保持部材４５，４５は、例えば操作者が手で把持するのに十分な厚み（高さ）と幅を有している。
【００６４】
また、複数のキー１３ｂは、裏面１１ｂにそれぞれ突出するとともに、この裏面１１ｂの中央部から両端部（図中左右の保持部１１ｃ，１１ｃ）に向って高さが配列順に高くなるように配置されている。
すなわち、複数のキー１３ｂは、保持部材４５，４５に近づくに従ってその高さが配列順に高くなるように配置されている。そして、保持部材４５，４５に近いキー１３ｂは、保持部材４５，４５の厚み（高さ）よりも高く構成されることが好ましい。
【００６５】
このように、この実施形態では、裏面１１ｂの両端部に保持部材４５，４５を厚み（高さ）と幅を持たせて突出させるので、操作者の手２１，２２での電子機器１０の把持が容易となり、さらに強固に電子機器１０を保持することができる。
【００６６】
また、この実施形態では、実施形態１と同様の効果を奏するとともに、タッチスクリーンディスプレイを筐体の表面１１ａに設けるとともに、複数のキー１３ｂをこの表面１１ａの背面である裏面１１ｂの中央部から保持部材４５，４５に向って高さが配列順に高くなるように配置した。この結果、保持部材４５，４５が両端部に存在しても各キー１３ｂを容易に押下することができ、電子機器１０の操作性を向上できる。
【００６７】
また、この実施形態では、保持部材４５，４５に近いキー１３ｂの高さを保持部材４５，４５の厚み（高さ）よりも高く構成するので、保持部材４５，４５が両端部に突出された存在しても各キー１３ｂをさらに容易に押下することができ、電子機器１０の操作性をさらに向上できる。
【００６８】
（実施形態４）
図９は、実施形態４の電子機器１０の構成を示す斜視図である。
【００６９】
図９に示すように、複数のキー１３ｂは、裏面１１ｂにそれぞれ突出するとともに、この裏面１１ｂの中央部から両端部（図中左右の保持部１１ｃ，１１ｃ）に向って高さが配列順に高くなるように配置されている。
【００７０】
また、これらキー１３ｂは、下段より上段の両端部側のキーが配列順に両端部に向かって近づき、かつ下段より上段の中央部側のキーが配列順に中央部から遠ざかるように配置されている。
【００７１】
このように構成する場合は、例えば両端部（図中左右の保持部１１ｃ，１１ｃ）間の距離が短く、指を折り曲げた状態で中央部側のキー１３ｂの押下が可能な場合などであり、中央部のキーの高さが低くても良好にそのキー１３ｂを押下することができる。
【００７２】
また、手２１，２２を配列されたキー１３ｂ上に軽く接触させた場合、手２１，２２が複数のキー１３ｂを包み込むようにして電子機器１０を保持でき、掌や指の関節の部分にキー１３ｂが引っ掛かってその保持がさらに容易となる。
【００７３】
このように、この実施形態では、実施形態１と同様の効果を奏するとともに、タッチスクリーンディスプレイを筐体の表面１１ａに設けるとともに、複数のキー１３ｂをこの表面１１ａの背面である裏面１１ｂの中央部から保持部材４５，４５に向って高さが配列順に高くなるように配置した。さらに、この実施形態では、複数のキー１３ｂのうちの下段より上段の両端部側のキーが配列順に両端部に向かって近づき、かつ下段より上段の中央部側のキーが配列順に中央部から遠ざかるように配置した。この結果、キー１３ｂ上に接触された手２１，２２にキー１３ｂが引っ掛かって、電子機器１０の保持をさらに容易にできる。
【００７４】
なお、本発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。例えば実施形態に示される全構成要素から幾つかの構成要素を削除してもよい。さらに、異なる実施形態にわたる構成要素を適宜組み合わせてもよい。
【符号の説明】
【００７５】
１０…電子機器、１１…筐体、１１ａ…表面、１１ｂ…裏面、１１ｃ，１１ｃ…保持部、１１ｄ…孔部、１２…ＬＣＤ、１３…キーボード、１３ａ，１３ｂ，１３ａ１，１３ａ２…キー、１４…タッチパネル、１６，１７…保持センサ、１９，２０…接触センサ、２１，２２…手、３３…表示コントローラ、４０…保持検出部、４１…接触検出部。
【図１】
2014106937.tif 000003
【図２】
2014106937.tif 000004
【図３】
2014106937.tif 000005
【図４】
2014106937.tif 000006
【図５】
2014106937.tif 000007
【図６】
2014106937.tif 000008
【図７】
2014106937.tif 000009
【図８】
2014106937.tif 000010
【図９】
2014106937.tif 000011